(57)【要約】      （修正有）【課題】二つのペダルを浮遊状態にするという支持方式を採用することにより、左右高速揺動による按摩効果を増加することが可能である左右揺動マッサージ器を提供する。【解決手段】台座１０と、台座１０の上面に固定されている動力源２０と、台座１０の上面の中央に枢着されており、動力源２０に駆動されて回転し、二セットの偏心装置が設けられており、二セットの偏心装置の偏心方向が互いに異なる回転軸３０と、その底面に横軸が設けられており、その底面の側面には、複数の揺動ロッド６０ａ〜ｈの一端が枢着されており、揺動ロッド６０ａ〜ｈの他端が台座１０の上面の対応位置に枢着されており、複数の揺動ロッド６０ａ〜ｈにより浮遊状態になる二つのプレート５０ａ、５０ｂと、一端がそれぞれ偏心装置のうちの一つに枢着されており、他端が横軸に枢着されており、偏心距離のストロークが二つのプレート５０ａ、５０ｂに伝えられる二セットのリンクと、を含む。【選択図】図３
0003197672.tif 000002
【実用新案登録請求の範囲】
【請求項１】
台座と、
前記台座の上面に固定されている動力源と、
前記台座の上面の中央に枢着されており、前記動力源に駆動されて回転し、二セットの偏心装置が設けられており、二セットの前記偏心装置の偏心方向が互いに異なる回転軸と、
その底面に横軸が設けられており、その底面の側面には、複数の揺動ロッドの一端が枢着されており、前記揺動ロッドの他端が前記台座の上面の対応位置に枢着されており、複数の前記揺動ロッドにより浮遊状態になる二つのプレートと、
一端がそれぞれ前記偏心装置のうちの一つに枢着されており、他端が前記横軸に枢着されており、偏心距離のストロークが二つの前記プレートに伝えられる二セットのリンクと、
を含み、
二つの前記偏心装置が二つの前記プレートを短距離で高速に押さえて引いているときに、左右対応の高速揺動効果を得ることが可能であることを特徴とする左右揺動マッサージ器。
【請求項２】
二つの前記プレートの上面にペダルがそれぞれ固定されており、二つの前記ペダルの間に軟質樹脂カバーが設けられており、前記軟質樹脂カバーの中央には、ベローズ状を呈する伸縮部が設けられており、前記軟質樹脂カバーの上面に滑り止め皺が設けられていることを特徴とする、請求項１に記載の左右揺動マッサージ器。
【請求項３】
マッサージ器がケースにカバーされ、前記ケースは前側が後側よりも高いことによる傾斜角度を有し、前記マッサージ器と前記軟質樹脂カバーも傾斜し、ユーザの足が前記軟質樹脂カバーの両側に立っているときに、つま先が踵よりも高いことによる緊張状態を保持可能であり、左右揺動の按摩効果を増加することが可能であることを特徴とする、請求項２に記載の左右揺動マッサージ器。
【請求項４】
上面の両側に二つの軸受穴と複数の枢着穴とが設けられている台座と、
前記台座の上面に固定されているモータと、
その第１プーリーに前記モータのシャフトが固定されているプーリーユニットと、
両端に軸受けがそれぞれ嵌め設けられており、二つの前記軸受けが前記台座の二つの前記軸受穴に固定されており、第２プーリーが固定されており、前記第１プーリーと前記第２プーリーに一つのベルトが巻き付けられており、前記モータによる駆動によって回転され、偏心方向が互いに異なる二つの偏心ホイールが固定されている回転軸と、
底面に横軸が設けられている二つのプレートと、
一端がそれぞれ前記偏心ホイールのうちの一つに枢着されており、他端が前記横軸に枢着されており、偏心距離のストロークが二つの前記プレートに伝えられる二セットのリンクと、
を含む左右揺動マッサージ器において、
二つの前記プレートの底面の四辺には、揺動ロッドの一端がそれぞれ枢着されており、前記揺動ロッドの他端が前記台座の上面に設けられている複数の枢着穴に枢着されており、複数の前記揺動ロッドにより、二つの前記プレートが浮遊状態になり、二つの前記偏心ホイールが二つの前記プレートを短距離で高速に押さえて引いているときに、摩擦抵抗無しの左右対応の高速揺動効果を得ることが可能であることを特徴とする左右揺動マッサージ器。
【請求項５】
二つの前記プレートの上面にペダルがそれぞれ固定されており、二つの前記ペダルの間に軟質樹脂カバーが設けられており、前記軟質樹脂カバーの中央には、ベローズ状を呈する伸縮部が設けられており、前記軟質樹脂カバーの上面に滑り止め皺が設けられていることを特徴とする、請求項４に記載の左右揺動マッサージ器。
【請求項６】
マッサージ器がケースにカバーされ、前記ケースは前側が後側よりも高いことによる傾斜角度を有し、前記マッサージ器と前記軟質樹脂カバーも傾斜し、ユーザの足が前記軟質樹脂カバーの両側に立っているときに、つま先が踵よりも高いことによる緊張状態を保持可能であり、左右揺動の按摩効果を増加することが可能であることを特徴とする、請求項５に記載の左右揺動マッサージ器。
【考案の詳細な説明】
【技術分野】
【０００１】
本考案は、マッサージ器に関し、特に、二つのペダルを浮遊状態にするという支持方式を採用することにより、左右高速揺動による按摩効果を増加することが可能である左右揺動マッサージ器に関するものである。
【背景技術】
【０００２】
本願の出願者は、特許文献１の台湾特許１０３２０３３７４号の「脚部ストレッチ用健康器具」を提案した。このような「脚部ストレッチ用健康器具」は、上方に二つのガイドレールが設けられている枠部と、二つの側辺に複数のローラがそれぞれ設けられており、これらの前記ローラが二つの前記ガイドレールのガイド可能の範囲内に移動可能である二つのスライドプレートと、伝動部材により回転軸を駆動するモータユニットと、その駆動端が偏心ホイールにそれぞれ枢着されている二つのクランクと、を含む。二つの前記クランクの作動端は、二つの前記スライドプレートの底面に設けられているラグにそれぞれ枢着されている。これにより、前記モータユニットが前記回転軸を駆動するときには、前記偏心ホイールにより、前記回転軸の回転の動力が押さえ・引き動作に変換されて、二つの前記クランクが二つの前記スライドプレートを、互いに近接し、又は互いに離れるようにスライドすることが可能である。二つの前記スライドプレートに立っているユーザの脚部は、二つの前記スライドプレートの押さえ・引き動作によりストレッチされ、鍛錬効果を得ることが可能である。
【０００３】
上記のものは、二つの前記スライドプレートをスライドさせることが可能であるが、スライドの過程中に、複数の前記ローラは、前記ガイドレールを転動することにより、前記スライドプレートをスライドさせることが可能となる。しかし、前記ローラは、摩擦力によって前記スライドプレートを転動可能となるが、摩擦抵抗により、前記スライドプレートがスムーズにスライドできないことがある。
【先行技術文献】
【特許文献】
【０００４】
【特許文献１】台湾特許１０３２０３３７４号公報
【考案の概要】
【考案が解決しようとする課題】
【０００５】
本考案の目的は、二つのペダルを浮遊状態にするという支持方式を採用することにより、左右高速揺動による按摩効果を増加することが可能である左右揺動マッサージ器を提供することにある。
【課題を解決するための手段】
【０００６】
本考案の左右揺動マッサージ器によると、台座と、
台座の上面に固定されている動力源と、
台座の上面の中央に枢着されており、動力源に駆動されて回転し、二セットの偏心装置が設けられており、二セットの偏心装置の偏心方向が互いに異なる回転軸と、
その底面に横軸が設けられており、その底面の側面には、複数の揺動ロッドの一端が枢着されており、揺動ロッドの他端が台座の上面の対応位置に枢着されており、複数の揺動ロッドにより浮遊状態になる二つのプレートと、
一端がそれぞれ偏心装置のうちの一つに枢着されており、他端が横軸に枢着されており、偏心距離のストロークが二つのプレートに伝えられる二セットのリンクと、
を含み、
二つの偏心装置が二つのプレートを短距離で高速に押さえて引いているときに、左右対応の高速揺動効果を得ることが可能であることを特徴とする。
【０００７】
本考案の左右揺動マッサージ器によると、二つのプレートの上面にペダルがそれぞれ固定されており、二つのペダルの間に軟質樹脂カバーが設けられており、軟質樹脂カバーの中央には、ベローズ状を呈する伸縮部が設けられており、軟質樹脂カバーの上面に滑り止め皺が設けられていることを特徴とする。
【０００８】
本考案の左右揺動マッサージ器によると、マッサージ器がケースにカバーされ、ケースは前側が後側よりも高いことによる傾斜角度を有し、マッサージ器と軟質樹脂カバーも傾斜し、ユーザの足が軟質樹脂カバーの両側に立っているときに、つま先が踵よりも高いことによる緊張状態を保持可能であり、左右揺動の按摩効果を増加することが可能であることを特徴とする。
【０００９】
本考案の左右揺動マッサージ器によると、上面の両側に二つの軸受穴と複数の枢着穴とが設けられている台座と、
台座の上面に固定されているモータと、
その第１プーリーにモータのシャフトが固定されているプーリーユニットと、
両端に軸受けがそれぞれ嵌め設けられており、二つの軸受けが台座の二つの軸受穴に固定されており、第２プーリーが固定されており、第１プーリーと第２プーリーに一つのベルトが巻き付けられており、モータによる駆動によって回転され、偏心方向が互いに異なる二つの偏心ホイールが固定されている回転軸と、
底面に横軸が設けられている二つのプレートと、
一端がそれぞれ偏心ホイールのうちの一つに枢着されており、他端が横軸に枢着されており、偏心距離のストロークが二つのプレートに伝えられる二セットのリンクと、
を含む左右揺動マッサージ器において、
二つのプレートの底面の四辺には、揺動ロッドの一端がそれぞれ枢着されており、揺動ロッドの他端が台座の上面に設けられている複数の枢着穴に枢着されており、複数の揺動ロッドにより、二つのプレートが浮遊状態になり、二つの偏心ホイールが二つのプレートを短距離で高速に押さえて引いているときに、摩擦抵抗無しの左右対応の高速揺動効果を得ることが可能であることを特徴とする。
【００１０】
本考案の左右揺動マッサージ器によると、二つのプレートの上面にペダルがそれぞれ固定されており、二つのペダルの間に軟質樹脂カバーが設けられており、軟質樹脂カバーの中央には、ベローズ状を呈する伸縮部が設けられており、軟質樹脂カバーの上面に滑り止め皺が設けられていることを特徴とする。
【００１１】
本考案の左右揺動マッサージ器によると、マッサージ器がケースにカバーされ、ケースは前側が後側よりも高いことによる傾斜角度を有し、マッサージ器と軟質樹脂カバーも傾斜し、ユーザの足が軟質樹脂カバーの両側に立っているときに、つま先が踵よりも高いことによる緊張状態を保持可能であり、左右揺動の按摩効果を増加することが可能であることを特徴とする。
【考案の効果】
【００１２】
本考案の左右揺動マッサージ器によれば、二つのペダルを浮遊状態にするという支持方式を採用することにより、左右高速揺動による按摩効果を増加することが可能であるという効果を有する。
【図面の簡単な説明】
【００１３】
【図１】本考案の左右揺動マッサージ器がケースを含む状態を示す斜視図である。
【図２】本考案の左右揺動マッサージ器の一実施形態を示す斜視図である。
【図３】本考案の左右揺動マッサージ器の一実施形態を示す分解斜視図である。
【図４】本考案の左右揺動マッサージ器の一実施形態を示す断面図１である。
【図５】本考案の左右揺動マッサージ器の一実施形態を示す断面図２である。
【図６】本考案の左右揺動マッサージ器の一実施形態を示す断面図３である。
【図７】本考案の左右揺動マッサージ器の左右に揺動するマッサージ動作を示す断面図である。
【図８】本考案の左右揺動マッサージ器の使用状態を示す模式図である。
【考案を実施するための形態】
【００１４】
以下、本考案の実施の形態を図面に基づいて説明する。
【００１５】
図１から図８を参照する。本考案の一実施形態の左右揺動マッサージ器は、台座１０と、動力源２０と、回転軸３０と、プレート５０ａ、５０ｂと、リンク７０ａ、７０ｂと、を含む。
【００１６】
動力源２０は、台座１０の上面に固定されている。
【００１７】
回転軸３０は、台座１０の上面の中央に枢着されており、動力源２０に駆動されて回転する。回転軸３０に偏心装置４０ａ、４０ｂが設けられている。偏心装置４０ａ、４０ｂの偏心方向は互いに異なる。
【００１８】
プレート５０ａ、５０ｂは、その底面に横軸５１ａ、５１ｂが設けられており、その底面の側面には、複数の揺動ロッド６０ａ〜ｈの一端６１ａ〜ｈが枢着されており、揺動ロッド６０ａ〜ｈの他端６２ａ〜ｈが台座１０の上面の対応位置に枢着されている。プレート５０ａ、５０ｂは、複数の揺動ロッド６０ａ〜ｈにより浮遊状態になる。
【００１９】
リンク７０ａ、７０ｂは、一端７１ａ、７１ｂがそれぞれ偏心装置４０ａ又は４０ｂに枢着されており、他端７２ａ、７２ｂが横軸５１ａ、５１ｂに枢着されており、偏心距離のストロークがプレート５０ａ、５０ｂに伝えられる。これにより、偏心装置４０ａ、４０ｂがプレート５０ａ、５０ｂを短距離で高速に押さえて引いているときには、左右対応の高速揺動効果を得ることが可能である。
【００２０】
本考案の一実施形態の左右揺動マッサージ器は、プレート５０ａ、５０ｂの上面にペダル８１ａ、８１ｂがそれぞれ固定されている。ペダル８１ａ、８１ｂの間に軟質樹脂カバー８２が設けられている。軟質樹脂カバー８２の中央には、ベローズ状を呈する伸縮部８２１が設けられている。軟質樹脂カバー８２の上面に滑り止め皺８２２が設けられている。
【００２１】
本考案の一実施形態の左右揺動マッサージ器は、マッサージ器１がケース９０にカバーされる。ケース９０は前側が後側よりも高いことによる傾斜角度θを有し、マッサージ器１と軟質樹脂カバー８２も傾斜角度θで傾斜する。これにより、ユーザの足が軟質樹脂カバー８２の両側に立っているときに、つま先が踵よりも高いことによる緊張状態を保持可能であり、左右揺動の按摩効果を増加することが可能である。
【００２２】
図１から図８を参照する。本考案の一実施形態の左右揺動マッサージ器は、台座１０と、モータ２１と、プーリーユニット２２と、回転軸３０と、プレート５０ａ、５０ｂと、リンク７０ａ、７０ｂと、を含む。
【００２３】
台座１０は、上面の両側に二つの軸受穴１１と複数の枢着穴１２とが設けられている。
【００２４】
モータ２１は、台座１０の上面に固定されている。プーリーユニット２２は、その第１プーリー２２１にモータ２１のシャフト２１１が固定されている。
【００２５】
回転軸３０は、両端に軸受け３１がそれぞれ嵌め設けられている。二つの軸受け３１は台座１０の二つの軸受穴１１に固定されている。第２プーリー２２２は回転軸３０に固定されている。第１プーリー２２１と第２プーリー２２２にベルト２２３が巻き付けられている。モータ２１による駆動によって、回転軸３０が回転される。回転軸３０には、偏心方向が互いに異なる偏心ホイール４１ａ、４１ｂが固定されている。
【００２６】
プレート５０ａ、５０ｂは、その底面に横軸５１ａ、５１ｂが設けられている。
【００２７】
リンク７０ａ、７０ｂは、一端７１ａ、７１ｂがそれぞれ偏心ホイール４１ａ又は４１ｂに枢着されており、他端７２ａ、７２ｂが横軸５１ａ、５１ｂに枢着されている。リンク７０ａ、７０ｂは、偏心距離のストロークがプレート５０ａ、５０ｂに伝えられる。
【００２８】
プレート５０ａ、５０ｂの底面の四辺には、揺動ロッド６０ａ〜ｈの一端６１ａ〜ｈがそれぞれ枢着されており、揺動ロッド６０ａ〜ｈの他端６２ａ〜ｈが台座１０の上面に設けられている複数の枢着穴１２に枢着されている。揺動ロッド６０ａ〜ｈによる支持により、プレート５０ａ、５０ｂが浮遊状態になる。これにより、偏心ホイール４１ａ、４１ｂがプレート５０ａ、５０ｂを短距離で高速に押さえて引いているときには、摩擦抵抗無しの左右対応の高速揺動効果を得ることが可能である。
【００２９】
本考案の一実施形態の左右揺動マッサージ器は、プレート５０ａ、５０ｂの上面にペダル８１ａ、８１ｂがそれぞれ固定されている。ペダル８１ａ、８１ｂの間に軟質樹脂カバー８２が設けられている。軟質樹脂カバー８２の中央には、ベローズ状を呈する伸縮部８２１が設けられている。軟質樹脂カバー８２の上面に滑り止め皺８２２が設けられている。
【００３０】
本考案の一実施形態の左右揺動マッサージ器は、マッサージ器１がケース９０にカバーされる。ケース９０は前側が後側よりも高いことによる傾斜角度θを有し、マッサージ器１と軟質樹脂カバー８２も傾斜角度θで傾斜する。これにより、ユーザの足が軟質樹脂カバー８２の両側に立っているときに、つま先が踵よりも高いことによる緊張状態を保持可能であり、左右揺動の按摩効果を増加することが可能である。
【産業上の利用可能性】
【００３１】
本考案は、マッサージ器に適用することができる。
【符号の説明】
【００３２】
１  マッサージ器
１０  台座
１１  軸受穴
１２  枢着穴
２０  動力源
２１  モータ
２２  プーリーユニット
３０  回転軸
３１  軸受け
４０ａ、４０ｂ  偏心装置
４１ａ、４１ｂ  偏心ホイール
５０ａ、５０ｂ  プレート
５１ａ、５１ｂ  横軸
６０ａ〜ｈ  揺動ロッド
６１ａ〜ｈ  一端  
６２ａ〜ｈ  他端
７０ａ、７０ｂ  リンク
７１ａ、７１ｂ  一端
７２ａ、７２ｂ  他端
８１ａ、８１ｂ  ペダル
８２  軟質樹脂カバー
９０  ケース
２１１  シャフト
２２１  第１プーリー
２２２  第２プーリー
２２３  ベルト
８２１  伸縮部
８２２  滑り止め皺
θ  傾斜角度
【図１】
0003197672.tif 000003
【図２】
0003197672.tif 000004
【図３】
0003197672.tif 000005
【図４】
0003197672.tif 000006
【図５】
0003197672.tif 000007
【図６】
0003197672.tif 000008
【図７】
0003197672.tif 000009
【図８】
0003197672.tif 000010